(57)【要約】      （修正有）【課題】携帯電話機のような薄型の衝撃に弱い製品の運搬時や落下時の衝撃を緩和し或いはその衝撃が製品に伝わることを防止し、且つ容器の組み立て及び製品収納作業を瞬時に行うことのできる緩衝保持容器を提供する。【解決手段】紙片を折り曲げて製品を挟持する緩衝保持容器１において、中央部の開口部、該開口部を囲むように形成した開口部縁片、該開口部縁片と折り曲げ部を介して対向位置に連続形成した第１、第２製品支持片２，３、同様に対向位置に連続形成した第１、第２支持脚片４，５、折り曲げ部を介して該第１、第２製品支持片２，３と連続形成した重ね片及び折り曲げ部を介して第１、第２支持脚片４，５と連続形成した糊代片とを設けた隅片並びに該開口部全面を被覆した可撓性フィルム１１とにより構成した。【選択図】図１
0003143157.tif 000002
【実用新案登録請求の範囲】
【請求項１】
紙片を折り曲げて製品を挟持する緩衝保持容器において、中央部の開口部、該開口部を囲むように形成した開口部縁片、該開口部縁片と折り曲げ部を介して対向位置に連続形成した第１、第２製品支持片、同様に対向位置に連続形成した第１、第２支持脚片、折り曲げ部を介して該第１、第２製品支持片と連続形成した重ね片及び折り曲げ部を介して第１、第２支持脚片と連続形成した糊代片とを設けた隅片並びに該開口部全面を被覆した可撓性フィルムとにより構成したことを特徴とする緩衝保持容器。
【請求項２】
第１、第２製品支持片は、その各々により開口部表面側全体を覆う大きさとし、該表面側から可撓性フィルム側への製品押圧支持手段としてなることを特徴とする請求項１記載の緩衝保持容器。
【請求項３】
第１、第２製品支持片及び隅片は、折り曲げ部を介して開口部表面側及び第１、第２支持脚片表面側に接するまで各々折り曲げ移動可能としてなることを特徴とする請求項１又は２記載の緩衝保持容器。
【請求項４】
隅片は、対角線上の折り曲げ部を左右にして重ね片及び糊代片とにより形成し、折り曲げた隅片の該重ね片の表面側は該折り曲げ部を中心として糊代片の表面側に接するまで移動可能とし、該糊代片の裏面側は第１、第２支持脚片の表面側と貼着してなることを特徴とする請求項１乃至３のいずれか１に記載の緩衝保持容器。
【請求項５】
第１、第２支持脚片及び隅片は、折り曲げ部を介して第１、第２製品支持片に対し直角方向へ折り曲げ自在としてなることを特徴とする請求項１乃至４のいずれか１に記載の緩衝保持容器。
【請求項６】
第１、第２製品支持片の各々の先端側側縁に折り曲げ部を介して押圧補強片を形成し、該押圧補強片を可撓性フィルム側となる該第１、第２製品支持片側へ折り返すことにより製品の押圧手段としてなることを特徴とする請求項１乃至５のいずれか１に記載の緩衝保持容器。
【考案の詳細な説明】
【技術分野】
【０００１】
本考案は、携帯電話機等の薄型で壊れやすい製品を挟持して運ぶための容器で、その運搬時における外部からの各種衝撃或いは該容器を落下させた時の大きな衝撃から該製品が破損することを防止するための緩衝保持容器に関するものである。
【背景技術】
【０００２】
従来より携帯電話機等の衝撃に弱い製品を容器に梱包して運搬する場合、外部からの各種衝撃や該容器の落下による衝撃から製品を守るためにそれらの衝撃を吸収する緩衝部材を該容器と製品との間に介在させて該製品が破損することを防止している。
【０００３】
上記防止手段は、容器と製品との間に緩衝部材を配設する作業或いは該緩衝部材となる材料等が別途必要となり高価なものとなっていた。また、容器の落下等の大きな衝撃を受けると緩衝部材そのものの破損や該緩衝部材の緩衝機能の消失等により製品に損傷が生じていた。更に、それらの緩衝部材は使用後に不用品として廃棄されることが多く、環境上からも問題があった。
【０００４】
他方、弾力性を有する可撓性シート間に製品を挟持させ、外部からの衝撃が該製品に直接伝わることを防止する容器が存在する。それらのものは中央の開口部に可撓性シートを被覆した部材よりなる容器とし、別途同じような容器を用意し、その可撓性シート間に製品を挟持するものであるが、それら容器を運搬用容器に収納するまで製品の挟持ができず、該製品の収納作業に手間がかかっていた。
【０００５】
また、可撓性シート間に製品を挟持することになるので、強い衝撃が生じると可撓性シートが大きく揺れ、製品の安定的な固定状態が得られなかった。
【０００６】
更に、製品を保持する強度を得るため、容器の側壁を２枚の紙片を重ねているものがあるが、その重ね状態を保持するための紙片のロック作業が必要となっており、製品を収納することのできる容器の組み立て完成までに多くの時間を必要としていた。また、製品そのものの収納作業にも多くの時間を必要としていた。
【特許文献１】特許第３３０６４０５号公報
【特許文献２】特許第３３５９００１号公報
【考案の開示】
【考案が解決しようとする課題】
【０００７】
本考案は、上記欠点を解決したもので、携帯電話機のような薄型の衝撃に弱い製品の運搬時や落下時の衝撃を緩和し或いはその衝撃が製品に伝わることを防止し、且つ容器の組み立て及び製品収納作業を瞬時に行うことのできる緩衝保持容器に関するものである。
【課題を解決するための手段】
【０００８】
本考案は、紙片を折り曲げて製品を挟持する緩衝保持容器において、中央部の開口部、該開口部を囲むように形成した開口部縁片、該開口部縁片と折り曲げ部を介して対向位置に連続形成した第１、第２製品支持片、同様に対向位置に連続形成した第１、第２支持脚片、折り曲げ部を介して該第１、第２製品支持片と連続形成した重ね片及び折り曲げ部を介して第１、第２支持脚片と連続形成した糊代片とを設けた隅片並びに該開口部全面を被覆した可撓性フィルムとにより構成した緩衝保持容器を特徴とする。
【０００９】
また、上記第１、第２製品支持片は、その各々により開口部表面側全体を覆う大きさとし、該表面側から可撓性フィルム側への製品押圧支持手段としてなる緩衝保持容器を特徴とする。
【００１０】
更に、上記第１、第２製品支持片及び隅片は、折り曲げ部を介して開口部表面側及び第１、第２支持脚片表面側に接するまで各々折り曲げ移動可能としてなる緩衝保持容器を特徴とする。
【００１１】
また、上記隅片は、対角線上の折り曲げ部を左右にして重ね片及び糊代片とにより形成し、折り曲げた隅片の該重ね片の表面側は該折り曲げ部を中心として糊代片の表面側に接するまで移動可能とし、該糊代片の裏面側は第１、第２支持脚片の表面側と貼着してなる緩衝保持容器を特徴とする。
【００１２】
更に、上記第１、第２支持脚片及び隅片は、折り曲げ部を介して第１、第２製品支持片に対し直角方向へ折り曲げ自在としてなる緩衝保持容器を特徴とする。
【００１３】
また、上記第１、第２製品支持片の各々の先端側側縁に折り曲げ部を介して押圧補強片を形成し、該押圧補強片を可撓性フィルム側となる該第１、第２製品支持片側へ折り返すことにより製品の押圧手段としてなる緩衝保持容器を特徴とする。
【考案の効果】
【００１４】
本考案は、携帯電話機等の薄型の衝撃に弱い製品を十分な弾力性を有する可撓性シートと保持機能のある紙片とにより挟持して容器内に保持収納することができ、運搬時や該容器の落下時における外部からの大きな衝撃が製品に直接伝わることを防止することが可能となった。
【００１５】
また、本考案は、一方は下方側の可撓性シートにより、他方は上方側から強く押圧保持する紙片により製品を挟持することになるので外部からの強い衝撃があっても該製品が移動することなく、強固な固定状態を保った状態で製品の移動が可能となった。
【００１６】
更に、フレームとなる側壁を強固とするために紙片を重ねて側壁としている容器では、製品の収納時において該紙片相互を固定する組み立て作業に時間を費やしていたが、本考案は、予め工場において紙片を重ねてその一部を貼着した偏平状態で二重壁を形成しておくことができ、製品収納時には側壁を折り曲げることにより空間を生じさせ、その空間内に製品を配置した後、再び該側壁を折曲する作業により該側壁が容器の脚となり該緩衝保持容器の組み立てと製品の収納とが同時で且つ迅速に行えることを可能とした。
【考案を実施するための最良の形態】
【００１７】
以下、図面を参考に本考案を実施するための最良の形態についてその実施例を説明する。
【実施例１】
【００１８】
図１は、本考案の製品を収納するための緩衝保持容器１の斜視図、図２は、該緩衝保持容器１を折り曲げ組み立てする前の展開図を示している。
【００１９】
紙片をプレス機等により切断及び押圧加工して図２の展開図に示す緩衝保持容器１の折り曲げ組み立て前の状態の紙片を得ることができる。
【００２０】
緩衝保持容器１は、製品を押圧支持する第１製品支持片２、該第１製品支持片２から所定間隔を有して対向位置に形成した第２製品支持片３、該第１、第２製品支持片２、３の各々の端部と隅片で連結され製品の収納空間の形成及び別途容器内に該緩衝保持容器１を収納するときの支持脚となる第１支持脚片４、その対向位置に所定間隔を有して形成した第２支持脚片５、該第１、第２製品支持片２、３と該第１、第２支持脚片４、５との連結部となる４隅に各々形成された上記隅片６、７、８、９、該第１、第２製品支持片２、３と該第１、第２支持脚片４、５とで囲まれた中央部の開口部１０並びに該開口部１０全面を覆う可撓性フィルム１１とより構成されている。
【００２１】
上記第１製品支持片２は、長尺の矩形体で、その長手方向の内側縁部には折り曲げ部１２を介して開口部１０側へ突出した開口部縁片１３が形成されている。また、該第１製品支持片２の両端部側には各々隅片６、７が形成されている。
【００２２】
該隅片６、７は、該第１製品支持片２の両端部となる折り曲げ部１４、１５を介して連続形成され、重ね片６ａ、７ａと糊代片６ｂ、７ｂとに各々形成され、該重ね片６ａ、７ａと糊代片６ｂ、７ｂは各々その対角線となる折り曲げ部６ｃ、７ｃの左右に形成され且つ折り曲げ自在とされ、容器として組み立てるときはその対向する面相互が接するように形成している。
【００２３】
該隅片６、７には、糊代片６ｂ、７ｂ側の折り曲げ部１６、１７を介して第１、第２支持脚片４、５が連続形成されている。該糊代片６ｂ、７ｂの裏面側（図２の展開図では表面側であるが、図３の折り曲げた状態では裏面側に位置するので、便宜上裏面側と表現する）には接着剤が貼着され、該第１、第２支持脚片４、５の表面側と各々貼着される。該第１、第２支持脚片４、５との重ね幅はその横幅をその各々が該第１、第２支持脚片４、５の横幅のほぼ１／２としている。これにより、折り曲げ部１６、１７を折り曲げて該第１、第２支持脚片４、５の表面側と貼着固定することにより図３に示すような２枚の紙片が重なった状態とすることが可能となる。該第１、第２支持脚片４、５は、該糊代片６ｂ、７ｂを含め隅片６、７により補強されることになる。また、第１、第２支持脚片４、５の下端側には指掛けを得るために該隅片６、７の一部に切欠部を設けることにより指掛け段部を形成することができる。また、切欠孔等を設けることも可能である。
【００２４】
該第１、第２支持脚片４、５の他端側にも折り曲げ部１８、１９を介して隅片８、９が連続形成されている。上記同様、重ね片８ａ、９ａと糊代片８ｂ、９ｂとが対角線となる折り曲げ部８ｃ、９ｃより折り曲げ自在とされ、該糊代片８ｂ、９ｂの裏面側は第１、第２支持脚片４、５の表面側と接着され、該重ね片８ａ、９ａと該糊代片８ｂ、９ｂの表面側とは容器として立体組み立てするときにはその対向する面相互が接することになる。
【００２５】
該第１、第２支持脚片４、５は、その内側縁部には各々折り曲げ部２０、２１を介して開口部１０側へ突出した開口部縁片２２、２３が連続形成されている。
【００２６】
上記第１製品支持片２から開口部１０を隔てて対向する位置に設けた第２製品支持片３は、上記第１製品支持片２と同様、長手方向の内側縁部の折り曲げ部２４を介して開口部１０側へ突出した開口部縁片２５が形成されている。また、該第２製品支持片３の両端部側には折り曲げ部２６、２７を介して上記した隅片８、９が各々形成されている。
【００２７】
可撓性フィルム１１は、第１製品支持片２から第２製品支持片３にわたって開口部１０及び連続形成された開口部縁片１３、２２、２３、２５を覆うようにして該第１、第２製品支持片２、３に貼着されている。
【００２８】
図３は、上記第２図の展開図に示されている平面状の緩衝保持容器１の第１、第２製品支持片２、３及び隅片６〜９を、折り曲げ部１２、１６、１７、１８、１９、２４から第１、第２支持脚片４、５、開口部１０及び開口部縁片１３、２２、２３、２５の表面側と当接するように折り返して曲げた状態を示す展開図の表面側の平面図である。
【００２９】
上記隅片６〜９の糊代片６ｂ〜９ｂの裏面側（折り曲げた状態で裏面側となる図の点部分）を第１、第２支持脚片４、５の表面側に各々貼着することにより折り曲げ部６ｃ〜９ｃを中心として一方の糊代片６ｂ〜９ｂ側は貼着されて２枚の紙片を重ねた支持脚片となり、他方の重ね片６ａ〜９ａ側は該第１、第２支持脚片４、５の表面とは未貼着な移動自在な重ね片とされる。
【００３０】
図４は、上記図３の裏面側の平面図である。可撓性フィルム１１が開口部１０及び開口部縁片１３、２２、２３、２５の裏面側を覆っている。
【００３１】
図５（ａ）は、図３、４の可撓性フィルム１１側を下方位置としたＡ−Ａ線での断面図を示している（斜線を省略）。第１、第２支持脚片４、５の端部側を持ち上げるか押圧すると、折り曲げ部１４、１５、２０、２１、２６、２７で折れ曲がり、該第１、第２支持脚片４、５が立ち上がり、同時に、立ち上がった該第１、第２支持脚片４、５と連続している隅片６〜９の重ね片６ａ〜９ａが該第１、第２支持脚片４、５と重なった状態から折り曲げ部６ｃ〜９ｃを中心として糊代片６ｂ〜９ｂの表面側へ近接する位置へと移動することになる。該隅片６〜９の移動に連動して第１、第２製品支持片２、３もその相互が離れる方向（開く方向）へ移動することになる。図５（ｂ）は、その途中状態を示した側断面図である。
【００３２】
上記開放途中の状態或いは該第１、第２製品支持片２、３が完全に立ち上がった状態で収納すべき製品Ｗを可撓性フィルム１１上に配置することになる。
【００３３】
製品Ｗが該緩衝保持容器１の内側に配置された状態で、第１、第２支持脚片４、５を図５（ｂ）の矢印で示す開く方向(端部相互が離れる方向）へ移動させることにより立ち上がっていた第１、第２製品支持片２、３が可撓性フィルム１１に近接する方向（閉じる方向）へ移動し、該製品Ｗは第１、第２製品支持片２、３により可撓性フィルム１１側へ押圧されることになる。重ね片６ａ〜９ａの裏面側も該第１、第２支持脚片４、５の表面側方向へ移動することになる。更に、該第１、第２支持脚片４、５を折り曲げ部２０、２１を中心に該第１、第２製品支持片２、３に対してほぼ９０度方向まで折り曲げることにより該製品Ｗは第１、第２製品支持片２、３により可撓性フィルム１１側へより強く押圧され、図５（ｃ）に示す状態のように、該可撓性フィルム１１は該第１、第２支持脚片４、５で形成される空間側へ押し下げられることになる。上記により製品Ｗは該空間位置で該第１、第２製品支持片２、３及び可撓性フィルム１１間に強く挟持されることになる。
【００３４】
上記のように、緩衝保持容器１は、工場等において糊代片６ｂ〜９ｂが第１、第２支持脚片４、５に貼着されて偏平状態に折り曲げられることにより、効率良く運搬等により移動できるようになる。製品Ｗの収納時は、該緩衝保持容器１の第１、第２支持脚片４、５を折り曲げて内側空間部を形成し、該空間部に製品Ｗを配置し、その後、更に第１、第２支持脚片４、５を反対方向へ折り曲げることで該製品Ｗは該第１、第２製品支持片２、３と可撓性フィルム１１間に強く挟持されることになる。上記の簡単な操作のみで該製品Ｗを強固に配置固定することが可能となり、その間の製品Ｗの収納作業は約５秒程度で済み、従来の２０秒以上を必要とした収納作業と比較して作業効率が大幅に上昇し、格段の省力化を図ることが可能となった。
【００３５】
なお、第１、第２製品支持片２、３に半月状の切り込み切除部２８、２９を形成することにより、指を掛けることが可能となり、該緩衝保持容器１から収納された製品Ｗの取り出しを容易とすることができる。
【実施例２】
【００３６】
図６は、本考案の製品を収納するための緩衝保持容器３１の他の実施例の斜視図、図７は、該緩衝保持容器３１を折り曲げ組み立てする前の展開図を示している。
【００３７】
上記実施例１同様、紙片をプレス機等により切断及び押圧加工して図７の展開図に示す緩衝保持容器３１の折り曲げ組み立て前の状態の紙片を得ることができる。
【００３８】
緩衝保持容器３１は、製品を押圧支持する第１製品支持片３２、該第１製品支持片３２から所定間隔を有して対向位置に形成した第２製品支持片３３、該第１、第２製品支持片３２、３３の各々の端部と隅片で連結され製品の収納空間の形成及び別途容器内に該緩衝保持容器３１を収納するときの支持脚となる第１支持脚片３４とその対向位置に所定間隔を有して形成した第２支持脚片３５、該第１、第２製品支持片３２、３３と該第１、第２支持脚片３４、３５との連結部となる４隅に各々形成された上記隅片３６、３７、３８、３９、該第１、第２製品支持片３２、３３と該第１、第２支持脚片３４、３５とで囲まれた中央部の開口部４０並びに該開口部４０を覆う可撓性フィルム４１とより構成されている。
【００３９】
上記第１製品支持片３２は、長尺の矩形体で、その長手方向の一方の内側縁部には折り曲げ部４２を介して開口部４０側へ突出した開口部縁片４３が形成され、他方外側縁部には折り曲げ部４４を介してその両端部に湾曲部を設けた押圧補強片４５が形成されている。また、該第１製品支持片３２の両端部側には各々隅片３６、３７が形成されている。
【００４０】
該隅片３６、３７は、該第１製品支持片３２の両端部となる折り曲げ部４６、４７を介して連続形成され、重ね片３６ａ、３７ａと糊代片３６ｂ、３７ｂとに各々形成され、該重ね片３６ａ、３７ａと糊代片３６ｂ、３７ｂは各々その対角線となる折り曲げ部３６ｃ、３７ｃの左右に形成され且つ折り曲げ自在とされ、容器として組み立てるときはその対向する面相互が接するように形成している。
【００４１】
該隅片３６、３７には、糊代片３６ｂ、３７ｂ側の折り曲げ部４８、４９を介して第１、第２支持脚片３４、３５が連続形成されている。該糊代片３６ｂ、３７ｂの裏面側には接着剤が貼着され、該第１、第２支持脚片３４、３５の表面側と各々貼着される。該第１、第２支持脚片３４、３５との重ね幅はその横幅をその各々が該第１、第２支持脚片３４、３５の横幅のほぼ１／２としている。これにより、折り曲げ部４８、４９を折り曲げて該第１、第２支持脚片３４、３５の表面側と貼着固定することにより図８に示すような２枚の紙片が重なった状態とすることが可能となる。該第１、第２支持脚片３４、３５は、該糊代片３６ｂ、３７ｂを含め隅片３６、３７により補強されることになる。また、第１、第２支持脚片３４、３５の下端側には指掛けを得るために該隅片３６、３７の一部に切欠部を設けることができる空間を形成することもできる。
【００４２】
該第１、第２支持脚片３４、３５の他端側にも折り曲げ部５０、５１を介して隅片３８、３９が連続形成されている。上記同様、重ね片３８ａ、３９ａと糊代片３８ｂ、３９ｂとが対角線となる折り曲げ部３８ｃ、３９ｃより折り曲げ自在とされ、該糊代片３８ｂ、３９ｂの裏面側は第１、第２支持脚片３４、３５の表面側と接着され、該重ね片３８ａ、３９ａと該糊代片３８ｂ、３９ｂの表面側とは容器として立体組み立てするときにはその対向する面相互が接することになる。
【００４３】
該第１、第２支持脚片３４、３５は、その内側縁部には各々折り曲げ部５２、５３を介して開口部４０側へ突出した開口部縁片５４、５５が連続形成されている。
【００４４】
上記第１製品支持片３２から開口部４０を隔てて対向する位置に設けた第２製品支持片３３は、上記第１製品支持片３２と同様、長手方向の一方の内側縁部の折り曲げ部５６を介して開口部４０側へ突出した開口部縁片５７が形成され、他方の外側縁部には折り曲げ部５８を介してその両端部に湾曲部を設けた押圧補強片５９が形成されている。また、該第２製品支持片３３の両端部側には折り曲げ部６０、６１を介して上記した隅片３８、３９が形成されている。
【００４５】
可撓性フィルム４１は、第１製品支持片３２から第２製品支持片３３にわたって開口部４０及び連続形成された開口部縁片４３、５４、５５、５７を覆うようにして該第１、第２製品支持片３２、３３に貼着されている。
【００４６】
図８は、上記第７図の展開図に示されている平面状の緩衝保持容器３１の第１、第２製品支持片３２、３３及び隅片３６〜３９を、折り曲げ部４２、４８、４９、５０、５１、５６から第１、第２支持脚片３４、３５、開口部４０及び開口部縁片４３、５４、５５、５７の表面側と当接するように折り返して曲げた状態を示す展開図の表面側の平面図である。
【００４７】
上記隅片３６〜３９の糊代片３６ｂ〜３９ｂの裏面側（折り曲げた状態で裏面側となる図の点部分）を第１、第２支持脚片３４、３５の表面側に各々貼着することにより折り曲げ部３６ｃ〜３９ｃを中心として一方の糊代片３６ｂ〜３９ｂ側は貼着されて２枚の紙片を重ねた支持脚片となり、他方の重ね片３６ａ〜３９ａ側は該第１、第２支持脚片３４、３５の表面とは未貼着な移動自在な重ね片とされる。
【００４８】
図９は、上記図８の裏面側の平面図である。可撓性フィルム４１が開口部４０及び開口部縁片４３、５４、５５、５７の裏面側を覆っている。
【００４９】
上記実施例１の図５と同様、第１、第２支持脚片３４、３５の端部側を持ち上げるか押圧すると、折り曲げ部４６、４７、５２、５３、６０、６１で折れ曲がり、該第１、第２支持脚片３４、３５が立ち上がり、同時に、立ち上がった該第１、第２支持脚片３４、３５と連続している隅片３６〜３９の重ね片３６ａ〜３９ａが該第１、第２支持脚片３４、３５と重なった状態から折り曲げ部３６ｃ〜３９ｃを中心として糊代片３６ｂ〜３９ｂの表面側へ近接する位置へと移動することになる。該隅片３６〜３９の移動に連動して第１、第２製品支持片３２、３３もその相互が離れる方向（開く方向）へ移動することになる。
【００５０】
上記開放途中の状態或いは該第１、第２製品支持片３２、３３が完全に立ち上がった状態で収納すべき製品Ｗを可撓性フィルム４１上に配置することになる。
【００５１】
製品Ｗが該緩衝保持容器３１の内側に配置された状態で、第１、第２支持脚片３４、３５を開く方向(端部相互が離れる方向）へ移動させることにより立ち上がっていた第１、第２製品支持片３２、３３が可撓性フィルム４１に近接する方向（閉じる方向）へ移動し、該製品Ｗは第１、第２製品支持片３２、３３により可撓性フィルム４１側へ押圧されることになる。重ね片３６ａ〜３９ａの裏面側も該第１、第２支持脚片３４、３５の表面側に接する方向へ移動することになる。更に、該第１、第２支持脚片３４、３５を折り曲げ部５２、５３を中心に該第１、第２製品支持片３２、３３に対してほぼ９０度方向まで折り曲げることにより該製品Ｗは第１、第２製品支持片３２、３３により可撓性フィルム４１側へより強く押圧されることになる。製品Ｗを設置後、図８のＢ−Ｂ線方向の断面図となる図１０のように、該第１、第２製品支持片３２、３３に各々形成された押圧補強片４５、５９を内側方向へ折り返すことにより、その弾発力により製品Ｗの裏面側を可撓性フィルム４１側へ強く押圧することができ、製品Ｗを強固に固定することが可能となる。製品Ｗは、該第１、第２製品支持片３２、３３及び可撓性フィルム４１間に強く挟持されることになる。
【００５２】
上記押圧補強片４５、５９は、図１１に示すように、両者を立ち上げて該第１、第２製品支持片３２、３３の補強のためのフレームの役割とさせることもできる。また、該緩衝保持容器３１を別途容器から取り出すための把持手段とすることもできる。
【００５３】
上記のように、緩衝保持容器３１は、糊代片３６ｂ〜３９ｂが第１、第２支持脚片３４、３５に貼着されて偏平状態に折り曲げられることにより効率良く運搬等により移動できるようになる。製品Ｗの収納時は、該緩衝保持容器３１の第１、第２支持脚片３４、３５を折り曲げて内側空間部を形成し、該空間部に製品Ｗを配置し、その後、更に第１、第２支持脚片３４、３５を反対方向へ折り曲げることで該製品Ｗは該第１、第２製品支持片３２、３３と可撓性フィルム４１間に強く挟持されることになる。上記の簡単な操作のみで該製品Ｗを強固に配置固定することが可能となり、その間の製品Ｗの収納作業は約５秒程度で済み、従来の２０秒以上を必要とした収納作業と比較して作業効率が大幅に上昇し、格段の省力化を図ることが可能となった。
【００５４】
なお、第１、第２支持脚片３４、３５に半月状の切り込み部６２、６３を設け、切り込み片６４、６５を形成することにより、折り曲げ部６６、６７を中心として該切り込み片６４、６５が可動し、該切り込み片６４、６５を指で押し込むことが可能となり、該緩衝保持容器３１が収納される別体の箱体への収納や取り出しに利用することができる。実施例１と同様の位置の切り込み切除部でも良い。
【図面の簡単な説明】
【００５５】
【図１】本考案の緩衝保持容器の斜視図。
【図２】本考案の緩衝保持容器の組み立て前の展開図。
【図３】本考案の緩衝保持容器の一部を折り曲げて貼着した状態の表面側平面図。
【図４】本考案の緩衝保持容器の一部を折り曲げて貼着した状態の裏面側平面図。
【図５】本考案の緩衝保持容器に製品を配設し挟持するまでの状態を示す側断面図。
【図６】本考案の緩衝保持容器の他の実施例の斜視図。
【図７】本考案の緩衝保持容器の他の実施例の組み立て前の展開図。
【図８】本考案の緩衝保持容器の他の実施例の一部を折り曲げて貼着した状態の表面側平面図。
【図９】本考案の緩衝保持容器の他の実施例の一部を折り曲げて貼着した状態の裏面側平面図。
【図１０】本考案の緩衝保持容器の他の実施例の製品を配設した状態を示す側断面図。
【図１１】本考案の緩衝保持容器の他の実施例の製品を配設した状態を示す側断面図。
【符号の説明】
【００５６】
１、３１                                                  緩衝保持容器
２、３、３２、３３                                        第１、第２製品支持片
４、５、３４、３５                                        第１、第２支持脚片
６、７、８、９、３６、３７、３８、３９                    隅片
６ａ、７ａ、８ａ、９ａ、３６ａ、３７ａ、３８ａ、３９ａ    重ね片
６ｂ、７ｂ、８ｂ、９ｂ、３６ｂ、３７ｂ、３８ｂ、３９ｂ    糊代片
６ｃ、７ｃ、８ｃ、９ｃ、３６ｃ、３７ｃ、３８ｃ、３９ｃ    折り曲げ部
１０、４０                                                  開口部
１１、４１                                                  可撓性フィルム
１２、１４、１５、１６、１７、１８、１９、２０、２１、２４、２６、２７、４２、４４、４６、４７、４８、４９、５０、５１、５２、５３、５６、５８、６０、６１、６６、６７                                                      折り曲げ部
１３、２２、２３、２５、４３、５４、５５、５７              開口部縁片
４５、５９                                                  押圧補強片
２８、２９                                                  切り込み切除部
６２、６３                                                  切り込み部
６４、６５                                                  切り込み片
【図１】
0003143157.tif 000003
【図２】
0003143157.tif 000004
【図３】
0003143157.tif 000005
【図４】
0003143157.tif 000006
【図５】
0003143157.tif 000007
【図６】
0003143157.tif 000008
【図７】
0003143157.tif 000009
【図８】
0003143157.tif 000010
【図９】
0003143157.tif 000011
【図１０】
0003143157.tif 000012
【図１１】
0003143157.tif 000013